(57)【要約】      （修正有）【課題】患者輸送装置のための回転機構と旋回機構を備えた側方腕延長部を提供する。【解決手段】患者輸送装置のための側方腕延長部５の実施形態は、患者輸送装置フレーム又は患者輸送装置フレームへ取り付けられている支持フレームに係合するように構成されている患者輸送装置係合部材２０を備え、更に、回転式枢動式肘掛１０と、肘掛１０を患者輸送装置係合部材２０へ接続している側方腕動作ベース部２５と、を備えている。側方腕動作ベース部２５は、肘掛１０を回転させるように構成されている回転機構と、肘掛１０から患者輸送装置フレーム又は患者輸送装置支持フレームの周囲に垂直方向外方に枢動するように構成されている旋回機構と、を備えている。【選択図】図６
2019072514.tif 000002
【特許請求の範囲】
【請求項１】
患者輸送装置のための側方腕延長部であって、患者輸送装置フレーム又は前記患者輸送装置フレームへ取り付けられている支持フレームに係合するように構成されている患者輸送装置係合部材を備え、更に、回転式枢動式肘掛と、前記肘掛を前記患者輸送装置係合部材へ接続している側方腕動作ベース部と、を備えている側方腕延長部において、前記側方腕動作ベース部が、
前記肘掛を回転させるように構成されている回転機構であって、ラチェット装置を備えている回転機構と、
前記肘掛から前記患者輸送装置フレーム又は前記患者輸送装置支持フレームの周囲に垂直方向外方に枢動するように構成されている旋回機構と、を備えている、側方腕延長部。
【請求項２】
前記患者輸送装置は、救急用簡易寝台、ストレッチャー、車椅子、又は階段昇降椅子である、請求項１に記載の側方腕延長部。
【請求項３】
前記患者輸送装置は救急用簡易寝台である、請求項１に記載の側方腕延長部。
【請求項４】
前記回転機構は３６０°までの回転自由度を可能にさせる、請求項１に記載の側方腕延長部。
【請求項５】
前記回転機構は１８０°までの回転自由度を可能にさせる、請求項１に記載の側方腕延長部。
【請求項６】
前記ラチェット機構は前記肘掛の回転を制限するように構成されているロックピンを備えている、請求項５に記載の側方腕延長部。
【請求項７】
前記ラチェット機構はロックピンを係合解除するボタンを備えている、請求項６に記載の側方腕延長部。
【請求項８】
前記側方腕動作ベース部は、前記肘掛が旋回動作中にその周りを枢動する静止ロッドを備えている、請求項１に記載の側方腕延長部。
【請求項９】
前記旋回機構は、前記肘掛を外方旋回位置又は非旋回位置に維持する内部ばねを備えている、請求項１に記載の側方腕延長部。
【請求項１０】
前記旋回機構は９０°までの枢軸運動を可能にさせる、請求項１に記載の側方腕延長部。
【請求項１１】
前記旋回機構は２５°までの枢軸運動を可能にさせる、請求項１に記載の側方腕延長部。
【請求項１２】
前記肘掛は、前記側方腕動作ベース部の下側リップに滑動式に係合しそれにより前記肘掛の枢動を妨げるように構成されていて且つ前記肘掛の枢動を可能にさせるべく滑動式に係合解除されるように構成されているパドルラッチを備えている、請求項１に記載の側方腕延長部。
【請求項１３】
前記パドルラッチは、前記肘掛の外方枢動の後、前記肘掛動作ベース部の上側リップに滑動式に係合しそれにより当該肘掛をその場に固定するように構成されている、請求項１２に記載の側方腕延長部。
【請求項１４】
前記簡易寝台係合部材は、前記患者輸送装置フレームの周囲の側方バーへパチンと嵌る輪郭を付けられている、請求項１に記載の側方腕延長部。
【請求項１５】
救急用簡易寝台マットレスであって、患者支持面と、前記患者支持面とは反対側の簡易寝台フレーム連結面と、前記簡易寝台フレーム連結面へ取り付けられていて前記マットレスを前記支持フレームへ取り付けるように構成されている複数のマットレス連結部材と、を有するマットレスを備えている救急用簡易寝台マットレスにおいて、各マットレス連結部材が、
前記支持フレームのスロットの中へ差し込まれるように機能する回転式差込みを備えており、前記マットレス連結部材の回転が当該マットレス連結部材を前記支持フレームの前記スロットへ固着させるようになっている、救急用簡易寝台マットレス。
【請求項１６】
前記回転式差込みは前記マットレス連結部材の外側リング内に同心に配置されている、請求項１５に記載の救急用簡易寝台マットレス。
【請求項１７】
前記回転式差込みは回転フランジ部材を備えている、請求項１５に記載の救急用簡易寝台マットレス。
【請求項１８】
前記マットレス連結部材は１つ又はそれ以上の通気孔を備えている、請求項１５に記載の救急用簡易寝台マットレス。
【発明の詳細な説明】
【関連出願】
【０００１】
[0001]（関連出願の相互参照）
本願は２０１２年１２月４日出願の米国仮特許出願第６１／７３３，０７２号に対する優先権を主張し、同仮特許出願を参考文献としてここにそっくりそのまま援用する。
【技術分野】
【０００２】
[0002]本発明は、概括的には緊急用簡易寝台に関係しており、厳密には救急用簡易寝台、ストレッチャー、階段昇降椅子、など、の様な患者輸送装置のための側方腕延長部に向けられている。加えて、本発明は、概括的にはマットレス取り付け部材に、厳密には救急用簡易寝台のためのマットレス取り付け部材に、向けられている。
【先行技術文献】
【特許文献】
【０００３】
【特許文献１】米国仮特許出願第６１／７３３，０７２号
【発明の概要】
【課題を解決するための手段】
【０００４】
[0003]１つの実施形態によれば、患者輸送装置のための側方腕延長部が提供されている。側方腕延長部は、患者輸送装置フレーム又は患者輸送装置フレームへ取り付けられている支持フレームに係合するように構成されている患者輸送装置係合部材を備え、更に、回転式枢動式肘掛と、肘掛を患者輸送装置係合部材へ接続している側方腕動作ベース部と、を備えている。側方腕動作ベース部は、肘掛を回転させるように構成されている回転機構と、肘掛から患者輸送装置フレーム又は患者輸送装置支持フレームの周囲に垂直方向外方に枢動するように構成されている旋回機構と、を備えている。
【０００５】
[0004]別の実施形態によれば、救急用簡易寝台マットレスにおいて、患者支持面と、患者支持面とは反対側の簡易寝台フレーム連結面と、簡易寝台フレーム連結面へ取り付けられていてマットレスを支持フレームへ取り付けるように構成されている複数のマットレス連結部材と、を有するマットレスを備えている救急用簡易寝台マットレスが提供されている。各マットレス連結部材は、支持フレームのスロットの中へ差し込まれるように機能する回転式差込みを備えており、マットレス連結部材の回転がマットレス連結部材を支持フレームのスロットへ固着させる。
【０００６】
[0005]次に続く本発明の具体的な実施形態の詳細な説明は添付図面と併せて閲読されれば最も深く理解されることであり、図面中、同様の構造は同様の符号で指示されている。
【図面の簡単な説明】
【０００７】
【図１】[0006]本発明の１つ又はそれ以上の実施形態による救急用簡易寝台において、背もたれが直立位置にある際の、簡易寝台の下側胴部部分に実質的に平行に位置付けられている側方腕延長部を有する救急用簡易寝台の斜視図である。
【図２】[0007]本発明の１つ又はそれ以上の実施形態による救急用簡易寝台において、背もたれが下げられた際の、簡易寝台の下側胴部部分に実質的に平行に位置付けられている側方腕延長部を有する救急用簡易寝台の斜視図である。
【図３】[0008]本発明の１つ又はそれ以上の実施形態による救急用簡易寝台において、背もたれが下げられた際の、簡易寝台の下側胴部部分に実質的に平行に但し図２の位置に対して１８０°回転させて位置付けられている側方腕延長部を有する救急用簡易寝台の斜視図である。
【図４】[0009]本発明の１つ又はそれ以上の実施形態による、図３に示されている側方腕延長部を有する救急用簡易寝台の上面図である。
【図５】[0010]本発明の１つ又はそれ以上の実施形態による、外方枢動させた側方腕延長部を有する救急用簡易寝台の斜視図である。
【図６】[0011]本発明の１つ又はそれ以上の実施形態による側方腕延長部の斜視側面図である。
【図７】[0012]本発明の１つ又はそれ以上の実施形態による側方腕延長部の別の斜視図である。
【図８】[0013]本発明の１つ又はそれ以上の実施形態による側方腕延長部の肘掛の内部ラチェット機構を描いている。
【図９】[0014]本発明の１つ又はそれ以上の実施形態による図９に示されている内部ラチェット機構の位置を回転させた図である。
【図１０】[0015]本発明の１つ又はそれ以上の実施形態による側方腕延長部の別の図であって、旋回／枢動特性を強調表示するべく構成要素を仮想線で示した図である。
【図１１】[0016]本発明の１つ又はそれ以上の実施形態による、外方枢動位置にある側方腕延長部の上面図である。
【図１２】[0017]本発明の１つ又はそれ以上の実施形態による、非枢動構成にある側方腕延長部の肘掛の内部パドルラッチ機構を描いている。
【図１３】[0018]本発明の１つ又はそれ以上の実施形態による、側方腕延長部を外方枢動させたときのパドルラッチ機構を描いている。
【図１４】[0019]本発明の１つ又はそれ以上の実施形態による側方腕延長部の断面図を描いている。
【図１５】[0020]本発明の１つ又はそれ以上の実施形態による、マットレス取り付け部材を有する救急用簡易寝台のためのマットレスの側面図である。
【図１６】[0021]本発明の１つ又はそれ以上の実施形態による、マットレス取り付け部材を有する救急用簡易寝台のためのマットレスの底面図である。
【図１７】[0022]本発明の１つ又はそれ以上の実施形態による、マットレスの救急用簡易寝台背もたれへのマットレス取り付け部材を介した連結を描いている分解図である。
【図１８】[0023]本発明の１つ又はそれ以上の実施形態による、マットレスの救急用簡易寝台背もたれへのマットレス取り付け部材を介した連結を描いている底面図である。
【図１９】[0024]本発明の１つ又はそれ以上の実施形態による、マットレスの非ロック位置にあるマットレス取り付け部材の簡易寝台取り付け面を描いている。
【図２０】[0025]本発明の１つ又はそれ以上の実施形態による、マットレス取り付け部材のマットレス取り付け面を描いている。
【図２１】[0026]本発明の１つ又はそれ以上の実施形態による、ロック位置にあるマットレス取り付け部材の簡易寝台取り付け面を描いている。
【図２２】[0027]本発明の１つ又はそれ以上の実施形態による別のマットレス取り付け部材を描いている。
【発明を実施するための形態】
【０００８】
[0028]図面に示されている実施形態は、本質的に、説明を目的とするものであり、特許請求の範囲によって定義されている発明を限定しようとするものではない。更に、図面及び発明の個々の特徴は、詳細な説明を考察することで、より完全に明らかになり、より深く理解されるであろう。
【０００９】
[0029]図１を参照すると、側方腕延長部５を有する救急用簡易寝台１が提供されている。図は救急用簡易寝台１への取り付けを描いているが、任意の患者輸送装置、例えば、簡易寝台、車椅子、ストレッチャー、階段昇降椅子、など、が側方腕延長部を利用することもできると考えている。側方腕延長部５は、患者輸送装置（例えば救急用簡易寝台１）のフレーム２に、患者輸送装置フレーム（例えば簡易寝台フレーム２）又は簡易寝台フレームへ取り付けられている支持フレーム３の周囲に沿って、係合するために利用される患者輸送装置係合部材２０を備えている。支持フレーム３は患者を支持する外側レール付支持用足場である。側方腕延長部５は、典型的には、支持フレーム３に対しレールへ取り付けられているが、但し、簡易寝台フレーム２へ取り付けられることもあり得ると考えている。側方腕延長部５は、更に、回転式枢動式肘掛１０と、肘掛１０を患者輸送装置係合部材２０へ接続している側方腕動作ベース部２５と、を含んでいる。
【００１０】
[0030]図９の実施形態に示されている様に、患者輸送装置連結部材２０は、支持フレーム３へ輪郭付けられた面２１を介して連結されている静止部分２２を備え、更に、側方腕動作ベース部２５へ取り付けられていてそれと一体に回転できるようになっている回転可能部分２４を備えている。図７の実施形態を参照して、患者輸送装置係合部材２０は、支持フレーム３の周囲の側方バー上へのスナップ式取り付けに適した輪郭の付けられた面２１を含んでいてもよい。患者輸送装置係合部材としての使用には様々な連結機構が考えられ、一例が上述のスナップ嵌めである。確実に側方延長部が側方バー又は側方レールへしっかり固着されるようにするために追加の締結具（図示せず）が利用されていてもよい。図１を参照して、患者輸送装置係合部材２０は支持フレーム３の背もたれに隣接する１つ又はそれ以上の側方レールへ連結されるのが典型的であるが、但し、ここでは他の位置も考えている。
【００１１】
[0031]以下に詳述されている様に、側方腕延長部５は、側方腕延長部５が回転できるようにし且つ支持フレーム３の周囲に垂直方向外方に枢動できるようにする構成要素を備えている。図１に示されている１つの構成では、背もたれが直立位置へ起こされたとき、肘掛１０を回転させて簡易寝台１の下側胴部部分４が肘掛１０と水平方向に平行になるようにしてもよい。代わりに、図２−図４に描かれている非直立位置（即ち、例示として、側方腕延長部が概して使用中でない位置）にあるとき、側方腕延長部５を回転させて肘掛１０の端が支持フレーム３の頭部部分の近くに位置付けられるようにしてもよいし（図２参照）又は回転させて肘掛１０の端が支持フレームの下側胴部部分４の近くに位置付けられるようにしてもよい（図３及び図４を参照）。また、図５に示されている様に、肘掛１０は図示の通り外方へ枢動又は旋回させることができる。この外方枢動動作は、肘掛１０が非枢動位置にあったら肘掛の間の空きに簡単に納まることのできない大柄な患者又は肥満患者にとって好都合である。
【００１２】
[0032]図６及び図９を参照して、側方腕動作ベース部２５は、肘掛１０を回転させるように構成されている回転機構（例えばラチェット機構３７）、及び肘掛を簡易寝台フレーム外周の周囲から離れて外方へ枢動させるように構成されている旋回機構を含んでいる。回転機構は、３６０°までの回転自由度を可能にさせ、又は或る特定の実施形態では回転機構は１８０°までの回転自由度を可能にさせる。旋回機構は９０°までの枢動運動を可能にさせ、又は或る特定の実施形態では側方腕部動作ベース部に対して２５°までの回転を可能にさせる。
【００１３】
[0033]１つの実施形態では、回転機構は図８及び図９に描かれているラチェット装置である。図８及び図９を参照して、側方腕動作ベース部２５のラチェット機構３７は、患者輸送装置連結部材２０の側方腕動作ベース部２５への連結を容易にするために患者輸送装置連結部材２０のスロット２７の中へ差し込まれる少なくとも１つのタブ３８を備えている。１つのタブしか示されていないが、もう１つのタブを含んでいるものと考えておきたい。随意的に、他方のタブ３８に垂直なタブを組み入れてブレード２つに積重配列を形成させ、取り扱える荷重が増加するようにしてもよい。また、患者輸送装置連結部材２０の側方腕動作ベース部２５への連結は、更に、追加の締結具を含んでいてもよい。限定するわけではないが、一例として、側方腕動作ベース部２５は患者輸送装置連結部材の対応するねじ切り孔２８に係合するねじ切りボルト２３を含んでいてもよい。
【００１４】
[0034]加えて、肘掛１０の回転を容易にするため、ラチェット機構３７には個別の位置付けスロット３９が設けられている。適した作動機構（例えばボタン２６）によってタブ３８が患者輸送装置連結部材２０のスロット２７から係合解除されると、タブ３８は個別の位置付けスロット３９の間で動き、それにより肘掛１０の異なった位置への回転が円滑化される。図９に示されている様に、位置付けスロット３９は側方腕延長部５の実施可能な回転位置を画定している。図８及び図９に示されている１つの実施形態では、側方腕動作ベース部２５は、更に、肘掛１０の回転を制限するロックピン３６を備えている。具体的には、側方腕動作ベース部２５のロックピン３６は曲線状スロット４１内を動く。作動時、スロット４１はロックピン３６の最大回転を画定し、それにより、側方腕動作ベース部２５及びそれへ取り付けられている肘掛１０の最大回転を画定する。
【００１５】
[0035]図１０に示されている旋回機構に目を向けると、側方腕動作ベース部２５は肘掛１０のスロットへ差し込まれている静止ロッド３０を備えている。図５及び図１１を参照して、肘掛１０は、肘掛１０の旋回動作に対し静止のロッド３０周りに枢動するように構成されている。図１０の実施形態に示されている様に、旋回機構は、肘掛１０を外方枢動位置（図１１）及び非枢動位置（図１０）に維持する内部ばね３３を備えている。
【００１６】
[0036]図１２を参照して、ばねは、適当な作動機構、例えば側方腕動作ベース部２５の下側リップ３４に滑動式に係合しそれにより肘掛１０の枢動を妨げるようにも構成されているパドルラッチ１２、によって係合解除されるようになっていてもよい。図１０に示されている様に、パドルラッチ１２のスライドレバー１３を引くとパドルラッチ１２が滑動式に係合解除され肘掛１０の枢動を可能にさせるようになっている。図１３を参照して、枢動後、パドルラッチ１２が側方腕動作ベース部２５の上側リップ３５に係合し、それにより肘掛１０の位置を外方枢動位置に固定するようになっていてもよい。
【００１７】
[0037]更なる実施形態では、旋回の半径は例えば約９０°又は或る特定の実施形態では約２５°に縮小されているのが望ましい場合もある。図１１を参照して、肘掛１０は、側方腕動作ベース部２５の細長スロット３１内で動くことのできるピン３２を含んでいる。肘掛１０の運動は、細長スロット３１内のピン３２の運動の程度に制限される。
【００１８】
[0038]加えて、図１４は側方腕延長部５の断面図を描いており、具体的には側方腕延長部５の耐久性を増加させる内部構成要素を描いている。例えば、患者輸送装置連結部材２０の側方腕動作ベース部２５への取り付けは、付勢部材である例えばばね４３を環状に取り囲んでいる上側フランジ部材４１付ブッシング４０を利用する。ブッシング４０は、ねじ部材４５に係合する下側のねじの切られた部分を有し、患者輸送装置連結部材２０を側方腕動作ベース部２５へ固着させるのを支援している。肘掛１０を解放するべくボタン２６が押圧されると、ボタン２６はビーム４４に接触し、するとビーム４４がばね部材４３を押圧する。
【００１９】
[0039]更に図１４に示されている様に、底ねじ４５が側方腕動作ベース部２５を患者輸送装置連結部材２０上に固着積重状態に保持しているはいるが、積重体中にギャップが出現することもあり、例えば上フランジ部材４１の下にギャップが出現し、それによりガタつき効果が生じてしまうことがある。起こり得るガタつき効果に対抗するために波形座金４２をフランジ４１の下に含ませ確実に組立体を密着させるようにしてもよい。
【００２０】
[0040]上記実施形態は救急用簡易寝台のための側方腕に向けられているが、更に、側方腕延長部は、階段昇降椅子、車椅子、ストレッチャー、その他、の様な他の患者輸送装置へ連結させることもでき得るものと考えている。
【００２１】
[0041]本開示は救急用簡易寝台マットレス締結用構成要素にも向けられている。図１５及び図１７を参照して、マットレス５０は、患者支持面５２と、患者支持面５２とは反対側の簡易寝台フレーム連結面５４と、簡易寝台フレーム連結面５４へ取り付けられていてマットレス５０を支持フレーム３へ取り付けるように構成されているマットレス連結部材６０と、を備えている。図１７−図２１を参照して、マットレス連結部材６０は、外側リング６１とリング内に同心に配置されている回転式差込み６２を画定している。回転式差込み６２は、支持フレーム３のスロット７の中へ差し込まれるように機能する。
【００２２】
[0042]図１８−図１９及び図２１を参照して、回転式差込み６２がスロット７内に提供された後、マットレス連結部材６０は、フランジ部材６４を中央ピン６８周りに回転させることによって、スロット７内に固着される。このやり方では、スロット７よりも大きな直径を有している外側リング６１が支持フレーム３の上面に係合し、一方、回転式差込み６２は回転した際に支持フレーム３の下面に係合する（図１８参照）。示されている様に、これらのマットレス連結部材６０は、支持フレーム３のスロット７へ固着させるのが簡単で当該スロットから脱着させるのが簡単である。而して、簡易寝台マットレス５０の取り外し又は交換のプロセスが簡略化される。
【００２３】
[0043]図２０−図２２に示されている更なる実施形態では、マットレス連結部材６０は、マットレス５０での「風船化（ballooning）」効果を阻止するために空気の蓄積を逃すように使用される通気孔６９を含んでいる。示されている様に、通気孔６９は外側リング６１に設けられているのが典型的であるが、但し、通気孔６９をマットレス連結部材６０又はマットレス５０上の他の場所に含むことも考えている。別の実施形態では、マットレス連結部材６０は、回転式差込み６２上に配置されている通気孔６９を含んでいてもよい。
【００２４】
[0044]また指摘しておきたいこととして、「好適に」、「概して」、「一般的に」、及び「典型的に」の様な用語は、ここでは、特許請求の範囲に記載の発明の範囲を限定するために用いられているのでもなければ、或る特定の特徴が特許請求の範囲に記載の発明の構造又は機能にとって必須、不可欠、又は重要ですらあることを示唆するために用いられているのでもない。むしろ、これらの用語は、本発明の特定の実施形態の中で利用されることもあれば利用されないこともある代わりの又は追加の特徴を際立たせることを意図しているに過ぎない。
【００２５】
[0045]本発明を詳細にその具体的な実施形態を参照して説明してきたが、付属の特許請求の範囲に定義されている本発明の範囲から逸脱することなく修正及び変型が実施可能であることは自明であろう。より厳密には、本発明の幾つかの態様がここでは好適又は特に有利であると識別されていたとしても、本発明は必ずしも本発明のこれらの好適な態様に限定されるものではないと考えている。
【符号の説明】
【００２６】
１  救急用簡易寝台
２  簡易寝台フレーム
３  支持フレーム
４  下側胴部部分
５  側方腕延長部
７  スロット
１０  回転式枢動式肘掛
１２  パドルラッチ
１３  スライドレバー
２０  患者輸送装置係合部材、患者輸送装置連結部材
２１  輪郭の付けられた面
２２  静止部分
２３  ねじ切りボルト
２４  回転可能部分
２５  側方腕動作ベース部
２６  ボタン
２７  スロット
２８  ねじ切り孔
３０  静止ロッド
３１  細長スロット
３２  ピン
３３  内部ばね
３４  下側リップ
３５  上側リップ
３６  ロックピン
３７  ラチェット機構
３８  タブ
３９  位置付けスロット
４０  ブッシング
４１  曲線状スロット（図８）
４１  上側フランジ部材（図１４）
４２  波形座金
４３  ばね
４４  ビーム
４５  底ねじ
５０  マットレス
５２  患者支持面
５４  簡易寝台フレーム連結面
６０  マットレス連結部材
６１  外側リング
６２  回転式差込み
６４  フランジ部材
６８  中央ピン
６９  通気孔
【図１】
2019072514.tif 000003
【図２】
2019072514.tif 000004
【図３】
2019072514.tif 000005
【図４】
2019072514.tif 000006
【図５】
2019072514.tif 000007
【図６】
2019072514.tif 000008
【図７】
2019072514.tif 000009
【図８】
2019072514.tif 000010
【図９】
2019072514.tif 000011
【図１０】
2019072514.tif 000012
【図１１】
2019072514.tif 000013
【図１２】
2019072514.tif 000014
【図１３】
2019072514.tif 000015
【図１４】
2019072514.tif 000016
【図１５】
2019072514.tif 000017
【図１６】
2019072514.tif 000018
【図１７】
2019072514.tif 000019
【図１８】
2019072514.tif 000020
【図１９】
2019072514.tif 000021
【図２０】
2019072514.tif 000022
【図２１】
2019072514.tif 000023
【図２２】
2019072514.tif 000024
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
患者輸送装置のための側方腕延長部であって、
患者輸送装置フレーム又は前記患者輸送装置フレームへ取り付けられた支持フレームに係合するように構成された患者輸送装置係合部材であって、前記患者輸送装置フレームに連結された静止部分及び回転可能部分を備える患者輸送装置係合部材と、
回転式枢動式肘掛と、
前記肘掛を前記患者輸送装置係合部材の前記回転可能部分へ接続する側方腕動作ベース部であって、
前記肘掛を前記患者輸送装置係合部材に対して回転させるように構成された回転機構と、
前記肘掛を前記患者輸送装置係合部材に対して、前記患者輸送装置フレーム又は前記支持フレームの周囲から外方に枢動させるように構成された旋回機構であって、前記肘掛を外方旋回位置又は非旋回位置に維持する内部ばねを備えている旋回機構と、を備える、側方腕動作ベース部と、
を備えた、側方腕延長部。
【請求項２】
前記回転機構は、ラチェット装置を備えている、請求項１に記載の側方腕延長部。
【請求項３】
前記ラチェット装置は、前記肘掛の回転を制限するように構成されているロックピンを備えている、請求項２に記載の側方腕延長部。
【請求項４】
前記ラチェット装置は、前記患者輸送装置係合部材の前記側方腕動作ベース部への連結を容易にするために当該患者輸送装置係合部材のスロットの中へ差し込まれる少なくとも１つのタブを備える、請求項２に記載の側方腕延長部。
【請求項５】
前記ラチェット装置は、前記患者輸送装置係合部材の前記側方腕動作ベース部への連結を容易にするために当該患者輸送装置係合部材のスロットの中へ差し込まれる少なくとも１つのタブと、当該タブの係合を解除するボタンと、を備える、請求項２に記載の側方腕延長部。
【請求項６】
前記肘掛は、前記側方腕動作ベース部の下側リップに滑動式に係合しそれにより前記肘掛の枢動を妨げるように構成されていて且つ前記肘掛の枢動を可能にさせるべく滑動式に係合解除されるように構成されているパドルラッチを備えている、請求項１に記載の側方腕延長部。
【請求項７】
前記パドルラッチは、前記肘掛の外方枢動の後、前記側方腕動作ベース部の上側リップに滑動式に係合しそれにより当該肘掛をその場に固定するように構成されている、請求項６に記載の側方腕延長部。
【請求項８】
前記患者輸送装置係合部材の前記側方腕動作ベース部への取り付けは、付勢部材を環状に取り囲む上側フランジ部材付ブッシングを利用する、請求項１に記載の側方腕延長部。
【請求項９】
前記ブッシングは、ねじ部材に係合する下側のねじの切られた部分を有し、前記患者輸送装置係合部材を前記側方腕動作ベース部へ固着させるのを支援している、請求項８に記載の側方腕延長部。
【請求項１０】
波形座金を前記フランジの下に含ませて、確実に組立体を密着させる、請求項８に記載の側方腕延長部。
【請求項１１】
前記患者輸送装置係合部材は、前記患者輸送装置フレームの周囲の側方バーへパチンと嵌る輪郭を付けられている、請求項１に記載の側方腕延長部。
【請求項１２】
前記側方腕動作ベース部は、前記肘掛が旋回動作中にその周りを枢動する静止ロッドを備えている、請求項１に記載の側方腕延長部。
【請求項１３】
前記回転機構は、１８０°または３６０°までの回転自由度を可能にさせる、請求項１に記載の側方腕延長部。
【請求項１４】
前記旋回機構は、２５°または９０°までの枢軸運動を可能にさせる、請求項１に記載の側方腕延長部。
【請求項１５】
前記患者輸送装置は、救急用簡易寝台、ストレッチャー、車椅子、又は階段昇降椅子である、請求項１に記載の側方腕延長部。
【手続補正２】
【補正対象書類名】明細書
【補正対象項目名】００２５
【補正方法】変更
【補正の内容】
【００２５】
[0045]本発明を詳細にその具体的な実施形態を参照して説明してきたが、付属の特許請求の範囲に定義されている本発明の範囲から逸脱することなく修正及び変型が実施可能であることは自明であろう。より厳密には、本発明の幾つかの態様がここでは好適又は特に有利であると識別されていたとしても、本発明は必ずしも本発明のこれらの好適な態様に限定されるものではないと考えている。
〔態様１〕
患者輸送装置のための側方腕延長部であって、患者輸送装置フレーム又は前記患者輸送装置フレームへ取り付けられている支持フレームに係合するように構成されている患者輸送装置係合部材を備え、更に、回転式枢動式肘掛と、前記肘掛を前記患者輸送装置係合部材へ接続している側方腕動作ベース部と、を備えている側方腕延長部において、前記側方腕動作ベース部が、
前記肘掛を回転させるように構成されている回転機構であって、ラチェット装置を備えている回転機構と、
前記肘掛から前記患者輸送装置フレーム又は前記患者輸送装置支持フレームの周囲に垂直方向外方に枢動するように構成されている旋回機構と、を備えている、側方腕延長部。
〔態様２〕
前記患者輸送装置は、救急用簡易寝台、ストレッチャー、車椅子、又は階段昇降椅子である、態様１に記載の側方腕延長部。
〔態様３〕
前記患者輸送装置は救急用簡易寝台である、態様１に記載の側方腕延長部。
〔態様４〕
前記回転機構は３６０°までの回転自由度を可能にさせる、態様１に記載の側方腕延長部。
〔態様５〕
前記回転機構は１８０°までの回転自由度を可能にさせる、態様１に記載の側方腕延長部。
〔態様６〕
前記ラチェット機構は前記肘掛の回転を制限するように構成されているロックピンを備えている、態様５に記載の側方腕延長部。
〔態様７〕
前記ラチェット機構はロックピンを係合解除するボタンを備えている、態様６に記載の側方腕延長部。
〔態様８〕
前記側方腕動作ベース部は、前記肘掛が旋回動作中にその周りを枢動する静止ロッドを備えている、態様１に記載の側方腕延長部。
〔態様９〕
前記旋回機構は、前記肘掛を外方旋回位置又は非旋回位置に維持する内部ばねを備えている、態様１に記載の側方腕延長部。
〔態様１０〕
前記旋回機構は９０°までの枢軸運動を可能にさせる、態様１に記載の側方腕延長部。
〔態様１１〕
前記旋回機構は２５°までの枢軸運動を可能にさせる、態様１に記載の側方腕延長部。
〔態様１２〕
前記肘掛は、前記側方腕動作ベース部の下側リップに滑動式に係合しそれにより前記肘掛の枢動を妨げるように構成されていて且つ前記肘掛の枢動を可能にさせるべく滑動式に係合解除されるように構成されているパドルラッチを備えている、態様１に記載の側方腕延長部。
〔態様１３〕
前記パドルラッチは、前記肘掛の外方枢動の後、前記肘掛動作ベース部の上側リップに滑動式に係合しそれにより当該肘掛をその場に固定するように構成されている、態様１２に記載の側方腕延長部。
〔態様１４〕
前記簡易寝台係合部材は、前記患者輸送装置フレームの周囲の側方バーへパチンと嵌る輪郭を付けられている、態様１に記載の側方腕延長部。
〔態様１５〕
救急用簡易寝台マットレスであって、患者支持面と、前記患者支持面とは反対側の簡易寝台フレーム連結面と、前記簡易寝台フレーム連結面へ取り付けられていて前記マットレスを前記支持フレームへ取り付けるように構成されている複数のマットレス連結部材と、を有するマットレスを備えている救急用簡易寝台マットレスにおいて、各マットレス連結部材が、
前記支持フレームのスロットの中へ差し込まれるように機能する回転式差込みを備えており、前記マットレス連結部材の回転が当該マットレス連結部材を前記支持フレームの前記スロットへ固着させるようになっている、救急用簡易寝台マットレス。
〔態様１６〕
前記回転式差込みは前記マットレス連結部材の外側リング内に同心に配置されている、態様１５に記載の救急用簡易寝台マットレス。
〔態様１７〕
前記回転式差込みは回転フランジ部材を備えている、態様１５に記載の救急用簡易寝台マットレス。
〔態様１８〕
前記マットレス連結部材は１つ又はそれ以上の通気孔を備えている、態様１５に記載の救急用簡易寝台マットレス。
【外国語明細書】
2019072514000001.pdf